(57)【要約】      （修正有）【課題】捕球処理のみでなく、捕球動作から送球動作につなげる一連の練習にも好適な捕球用グラブを提供する。【解決手段】薬指収納部１４と小指収納部１５との指股最下点Ａ３および中指収納部１３と薬指収納部１４との指股最下点Ａ２は、それぞれ人差し指収納部１２と中指収納部１３との指股最下点Ａ１よりも所定長以上上方に形成する。また人差し指収納部１２と中指収納部１３と間の指股最下点Ａ１は使用者の中指先端と人差し指先端の間に形成する一方、中指収納部１３と薬指収納部１４との間の指股最下点Ａ２は、使用者の中指先端と薬指先端の中点位置よりも１０ｍｍ以上上方に形成し、薬指収納部１４と小指収納部１５との間の指股最下点Ａ３は、使用者の薬指先端と小指先端の中点位置よりも１０ｍｍ以上上方に形成する。【選択図】図１
0003220413.tif 000002
【実用新案登録請求の範囲】
【請求項１】
中指収納部と薬指収納部との間の指股最下点（Ａ２）が、人差し指収納部と中指収納部との間の指股最下点（Ａ１）よりも３０ｍｍ以上上方に形成されていることを特徴とする捕球用グラブ。
【請求項２】
薬指収納部と小指収納部との間の指股最下点（Ａ３）が、中指収納部と薬指収納部との間の指股最下点（Ａ２）位置よりも下方３０ｍｍ以内の範囲に形成されていることを請求項１に記載の捕球用グラブ。
【請求項３】
人差し指収納部と中指収納部と間の指股最下点（Ａ１）は使用者の中指先端と人差し指先端の間に形成され、中指収納部と薬指収納部との間の指股最下点（Ａ２）は、使用者の中指先端と薬指先端の中点位置よりも１０ｍｍ以上上方に形成され、薬指収納部と小指収納部との間の指股最下点（Ａ３）は、使用者の薬指先端と小指先端の中点位置よりも１０ｍｍ以上上方に形成されていることを特徴とする捕球用グラブ。
【請求項４】
人差し指収納部と中指収納部と間の指股最下点（Ａ１）が使用者の中指先端と人差し指先端の間に形成された捕球用グラブであって、
中指収納部、薬指収納部および小指収納部は、使用者の中指、薬指、小指の三指の独立した動きを人差し指に比べて抑制して、前記三指よりも上方にかけて捕球面を形成していることを特徴とする捕球用グラブ。
【考案の詳細な説明】
【技術分野】
【０００１】
本考案は、主に野球やソフトボールなどの球技に使用するための捕球用グラブに係り、特に練習時に好適に使用できる捕球用グラブに関する。
【背景技術】
【０００２】
従来、野球やソフトボールなどに使用される捕球用グラブにおいて、捕球動作に違和感無く追従できる形状のグラブが考案されている。
【０００３】
たとえば、特許文献１では、薬指収納部と小指収納部とが分岐する第３分岐部を手のひら収納部側に切れ込むように大きく後退させて形成し、第３分岐部を起点とする手のひら収納部の一部を局部的に屈曲し易くすることによって、捕球動作に際してグラブ全体がボールを包み込むように偏りなく筒状に変形することを可能とした捕球用グラブが提案されている。
【０００４】
また、特許文献２では、人差し指と中指との指股最下点位置を上げることによって捕球面を広げ、また、人差し指の指袋を太くして捕球時のショックを分散させると共に、指袋やその付け根部分への詰め物を増やしてクッション性を高めることによって、捕球性能を高めつつ人差し指への負担を減少させた野球・ソフトボール用グラブが提案されている。
【０００５】
一方、野手が捕球の練習を行う際、従来はミット形状のグラブが用いられることがあった。このミット形状のグラブはゴロ（グラウンダー）の打球を処理し送球動作に結びつける感覚を身に付けるものであるが、からだ正面での捕球練習には適しているものの、逆シングルハンドでの捕球処理には好適とは言えない。このため小型のグラブが用いられることもあった。
【０００６】
しかしながら、従来の小型のグラブは、単に試合用の一般形状のグラブの各指収納部を短くしたものであるため、ゴロの打球処理の感覚を身に付けるには十分とは言えないという問題があった。
【０００７】
具体的には、ライナー性の打球、逆シングルハンドでの捕球、送球されたボールを処理する場合は、人差し指と親指との間を中心とする領域で処理するのが効果的であるが、ゴロの打球をからだ正面で処理する場合は、人差し指の付け根や、親指と人差し指間で捕球するのではなく、主に中指と薬指の付け根付近の手のひらにボールを当て、瞬時に他方の手指へ持ちかえて、素早く送球動作につなげることが効果的である。このため、中指と薬指、および小指がこれに追従するように三指が一体として動作させる感覚、換言すれば、中指、薬指、小指で壁を作る感覚を養成することが重要である。
【０００８】
しかしながら、従来の捕球用グラブは、捕球することのみを目的としているため、たとえそれを小型化しても上記三指の一体とした動作感覚を養成するには十分でなかった。
【先行技術文献】
【特許文献】
【０００９】
【特許文献１】特開２００５−２４５７８３号公報
【特許文献２】特開２００４−３２９８４３号公報
【考案の概要】
【考案が解決しようとする課題】
【００１０】
本考案はかかる従来の事情に対処してなされたものであり、捕球処理のみでなく、捕球動作から送球動作につなげる一連の練習にも好適な捕球用グラブを提供することを目的とする。
【課題を解決するための手段】
【００１１】
上記目的を達成するため、本考案の捕球用グラブは、中指収納部と薬指収納部との間の指股最下点（Ａ２）が、人差し指収納部と中指収納部との間の指股最下点（Ａ１）よりも３０ｍｍ以上（好ましくは３５ｍｍ〜４５ｍｍ）上方に形成されていることを特徴とする。
【００１２】
本考案では、中指と薬指とが一体となって動作することで、使用者は正しい捕球領域を意識することができる。
【００１３】
好ましくは、薬指収納部と小指収納部との間の指股最下点（Ａ３）は、中指収納部と薬指収納部との間の指股最下点（Ａ２）位置よりも下方３０ｍｍ以内（好ましくは２０ｍｍ以内）の範囲に形成するのが良い。
【００１４】
この範囲内であれば、使用者の小指は中指および薬指の動作に連動しやすいため、中指、薬指、小指が一体となり、人差し指とは区別して動作させる感覚を生じさせることが可能となる。換言すれば、中指、薬指、小指の各指の動きを人差し指の動きよりも抑制することができるので、中指、薬指、小指で壁を作る感覚を養成することができ、ゴロの処理の練習にも好適な捕球用グラブを実現することができる。
【００１５】
また、本考案に係わる捕球用グラブは、人差し指収納部と中指収納部と間の指股最下点（Ａ１）は使用者の中指先端と人差し指先端の間に形成され、中指収納部と薬指収納部との間の指股最下点（Ａ２）は、使用者の中指先端と薬指先端の中点位置よりも１０ｍｍ以上上方に形成され、薬指収納部と小指収納部との間の指股最下点（Ａ３）は、使用者の薬指先端と小指先端の中点位置よりも１０ｍｍ以上上方に形成されていることを特徴とする。
【００１６】
また、本考案に係わる捕球用グラブは、指股最下点（Ａ２）から中指収納部先端および薬指収納部先端までの長さが４０ｍｍ〜５０ｍｍの範囲にあり、指股最下点（Ａ３）から薬指収納部先端および小指収納部先端までの長さが５０ｍｍ〜６０ｍｍの範囲にあることを特徴とする。
【００１７】
これにより、各指収納部間を締め紐（レース）で接続し、従来の一般のグラブ同様、各指間を弧状に形成することが可能となり、使用者は一般のグラブへ違和感なく移行することができる。
【考案の効果】
【００１８】
本考案によれば、捕球処理のみでなく、捕球動作から送球動作につなげる一連の練習にも好適に用いることができる。また、各指収納部のサイズを所定長の範囲にすることにより、試合用のグラブへも違和感無く移行させることができる。
【図面の簡単な説明】
【００１９】
【図１】本考案の実施の形態による捕球用グラブを捕球面側から見た斜視図である。
【図２】捕球用グラブにおける使用者の手指の位置関係の説明図である。
【図３】図１の捕球用グラブにおける捕球領域の説明図である。
【図４】本考案の一実施例による捕球用グラブの六面図である。
【考案を実施するための形態】
【００２０】
以下、本考案の実施の形態について図面を参照しながら説明する。
【００２１】
図１は、本実施の形態による捕球用グラブ１を捕球面側から見た斜視図である。捕球用グラブ１の基本的な構成や素材は従来と同様であり、使用者の手のひらを収納する手のひら収納部１６、親指を収納する親指収納部１１、人差し指を収納する人差し指収納部１２、中指を収納する中指収納部１３、薬指を収納する薬指収納部１４、小指を収納する小指収納部１５とを備えている。また、親指収納部１１と人差し指収納部１２との間には、ボールの脱出を防止する捕球網１７が設けられている。
【００２２】
なお、図１において人差し指収納部１２と中指収納部１３との間の指股最下点を符合Ａ１，中指収納部１３と薬指収納部１４との間の指股最下点を符合Ａ２，薬指収納部１４と小指収納部１５との間の指股最下点を符合Ａ３でそれぞれ示している。また、図１において符合Ｐ０で示す手根部中央に対応する基準位置からの同心円状の弧を符合Ｐ１，Ｐ２，Ｐ３で示している。指股最下点Ａ１，Ａ２，Ａ３はそれぞれ弧Ｐ１，Ｐ２，Ｐ３上にある。指股最下点Ａ１，Ａ２，Ａ３の位置関係は、円弧の径すなわち基準位置Ｐ０からの距離の差で示され、径が大きくなる方向すなわち基準位置Ｐ０から遠ざかる方向を上方、径が小さくなる方向すなわち基準位置Ｐ０に近づく方向を下方という。
【００２３】
本実施の形態による捕球用グラブ１の特徴は、指股最下点Ａ２を指股最下点Ａ１よりも上方に設け、指股最下点Ａ３を指股最下点Ａ１と指股最下点Ａ２との間に設けることである。捕球用グラブ１のサイズは、基準位置Ｐ０から指股最下点Ａ１までの長さＬ１を１５０ｍｍ〜１８０ｍｍ（好ましくは１６０ｍｍ〜１８０ｍｍ）、指股最下点Ａ１と指股最下点Ａ２間の長さＬ２を３０ｍｍ以上（好ましくは３５ｍｍ〜４５ｍｍ）、指股最下点Ａ２と指股最下点Ａ３間の長さＬ３を０ｍｍ〜３０ｍｍ（好ましくは０ｍｍ〜２０ｍｍ）にするのが良い。
【００２４】
なお、練習用の捕球用グラブ１としては、全体のサイズすなわち基準位置Ｐ０から各指収納部先端までの長さを２５０ｍｍ〜２８０ｍｍ（好ましくは２６０ｍｍ〜２７０ｍｍ）にするのが良い。このサイズにすれば、練習用の捕球用グラブ１で訓練した後に、既存の試合等に使用できる一般の形状・サイズの捕球用グラブ（以下、「一般捕球用グラブ」）に違和感なく移行することができる。
【００２５】
この捕球用グラブ１と使用者の手指Ｂの位置関係を図２に示す。この図に示すように、指股最下点Ａ１は、使用者の人差し指Ｂ２の先端と中指Ｂ３の先端を結ぶ線上にほぼ位置する。この線付近またはそれより下方（指間）に指股最下点Ａ１が来れば、中指Ｂ３に対して人差し指Ｂ２の独立的な動きがより容易になる。
【００２６】
一方、指股最下点Ａ２，Ａ３は、それぞれ使用者の中指Ｂ３の先端と薬指Ｂ４の先端を結ぶ線，薬指Ｂ４の先端と小指Ｂ５の先端を結ぶ線よりも十分上方に位置する。実際、指股最下点Ａ２，Ａ３がこの線よりも１０ｍｍ以上上方に位置すれば、使用者に中指Ｂ３，薬指Ｂ４，小指Ｂ５を一体に動かす感覚を持たせることが期待できる。換言すれば、中指Ｂ３，薬指Ｂ４，小指Ｂ５でいわゆる壁を作るイメージを持たせやすくなる。  
【００２７】
本実施の形態の捕球用グラブ１は、従来に比べて捕球面が図３に示すように変わる。打球を直接捕らえたり、あるいはキャッチボールなど通常の捕球処理は、従来どおり領域Ｓ１で行う。この場合、捕球用グラブ１は、中指，薬指、小指に対して、人差し指、親指は独立動作するので、領域Ｓ１での捕球時は、グラブはボールを包み込むように動き、しっかりと捕球することができる。
【００２８】
ゴロを捕球して送球する際、いわゆる当て捕りを行う場合は、領域Ｓ２にボールを当て、送球側の手でそのボールを保持して送球動作に繋げる。この場合は、使用者は、中指と薬指、さらに小指がこれに追従する形で壁を作り、この壁にボールを当て、（掴むのではなく）弾くようにして素早く他方の手にボールを移す。これにより、使用者は素早く送球動作に移行することができる。
【００２９】
従来の当て捕りは、図３において破線で示す手のひら領域Ｓ２’にボールを当てて行うことが多かった。しかし、領域Ｓ２’はグラブの根元に近いのでボールが少しでもイレギュラーバウンドするとグラブの土手に当たったり、手首の方へボールをそらす可能性が高くなる。一方、領域Ｓ２でゴロを当て捕りする訓練をすれば、ボールがイレギュラーバウンドしてもグラブの端までのマージンがあるので、捕り損なう可能性が低くなる。また、領域Ｓ２は、一般捕球用グラブでは、指股部が形成され指収納部を締め紐で繋いでいる部分であるが、本捕球用グラブ１では、領域Ｓ２の全体が捕球面になるので、中指、薬指、小指で壁を作る感覚を養うことができる。また従来の一般捕球用グラブで領域Ｓ２に対応する部分を当て捕り領域にすると、締め紐の破損、及び中指収納部と薬指収納部間の指股最下点付近と薬指収納部と小指収納部間の指股最下点付近の縫製部分の破損等が生じやすくグラブの耐久性が低下するが、本実施の形態による捕球用グラブ１は、当該領域を反復使用しても締め紐や前述２ヶ所の指股最下点付近の縫製部分の破損等がないのでの耐久性を向上させることができる。
【００３０】
なお、指股最下点Ａ３は、指股最下点Ａ２と同じ高さにしても良いが、指股最下点Ａ２より低く（下方に）することにより、中指と薬指の２本のみで壁を作るイメージを作りやすくなる。このとき、指股最下点Ａ３はせいぜい指股最下点Ａ１の高さまでに収めるのが好ましい。これにより、中指、薬指を軸とした壁に小指が無理なく追従するという動作が可能となる。
【００３１】
図４に本考案の一実施例による捕球用グラブ１の六面図を示す。
練習用の捕球用グラブ１としては、各指収納部先端の高さは指股最下点Ａ２の高さまでとしても本考案の効果は奏し得る。しかしながら、指股最下点Ａ２から５０ｍｍ程度（４０ｍｍ〜６０ｍｍ程度の範囲で）各指収納部先端まで長さを延ばし、隣り合う指先収納部先端部を締め紐で繋ぐ方が、練習用の捕球用グラブとしても、一般捕球用グラブの形状に近くなり、訓練後に一般捕球用グラブに違和感なく移行しやすくなる。指股最下点（Ａ２）から中指収納部先端および薬指収納部先端までの長さを４０ｍｍ〜５０ｍｍの範囲、指股最下点（Ａ３）から薬指収納部先端および小指収納部先端までの長さを５０ｍｍ〜６０ｍｍの範囲で形成するのが最も良好であった。
【００３２】
以上、本実施の形態によれば、指股最下点Ａ１を従来どおり両側の指（人差し指と中指）の独立運動を許容する位置に形成し、指股最下点Ａ２を指股最下点Ａ１よりも上方に形成して中指と薬指の独立運動を抑制し、さらに指股最下点Ａ３を指股最下点Ａ１，Ａ２間の高さに形成して、小指を薬指の動きに追従させるので、領域Ｓ１での捕球には影響を与えず、領域Ｓ２での当て捕り捕球を容易にするという効果を奏する。また、練習用の捕球用グラブとしては指股最下点Ａ２から各指収納部先端までを４０ｍｍ〜６０ｍｍ程度の長さとし、各指収納部を締め紐で結ぶことにより、使用者は小型の練習用捕球用グラブで訓練した後に違和感なく一般捕球用グラブに移行することができる。
【符号の説明】
【００３３】
１    捕球用グラブ
１１  親指収納部
１２  人差し指収納部
１３  中指収納部
１４  薬指収納部
１５  小指収納部
１６  手のひら収納部
１７  捕球網
１８  締め紐（レース）
Ａ１  人差し指収納部１２と中指収納部１３と間の指股最下点
Ａ２  中指収納部１３と薬指収納部１４との間の指股最下点
Ａ３  薬指収納部１４と小指収納部１５との間の指股最下点
Ｂ    使用者の手指
Ｂ１  使用者の親指
Ｂ２  使用者の人差し指
Ｂ３  使用者の中指
Ｂ４  使用者の薬指
Ｂ５  使用者の小指
【図１】
0003220413.tif 000003
【図２】
0003220413.tif 000004
【図３】
0003220413.tif 000005
【図４】
0003220413.tif 000006
【手続補正書】
【提出日】平成30年12月26日(2018.12.26)
【手続補正１】
【補正対象書類名】実用新案登録請求の範囲
【補正対象項目名】請求項３
【補正方法】変更
【補正の内容】
【請求項３】
手根部中央に対応する基準位置（Ｐ０）から前記指股最下点（Ａ１）までの長さが１５０ｍｍ〜１８０ｍｍであることを特徴とする請求項１または２に記載の捕球用グラブ。
【手続補正２】
【補正対象書類名】実用新案登録請求の範囲
【補正対象項目名】請求項４
【補正方法】変更
【補正の内容】
【請求項４】
手根部中央に対応する基準位置（Ｐ０）から各指収納部先端までの長さが２５０ｍｍ〜２８０ｍｍであることを特徴とする請求項１から３のいずれか一項に記載の捕球用グラブ。